(57)【要約】【課題】遠隔医療から薬剤入手までのタイムラグを少なくする、薬剤の新たな受渡し方法を提供することを主な課題とする。【解決手段】例えば、遠隔医療によって医師から処方された薬剤の患者への受渡し方法であって、薬剤費を含む診療報酬を、当該医師ないしその所属医療機関に対して当該患者が支払う工程、支払い完了後、当該薬剤がストックされている場所の中から当該患者が指定する場所（指定場所）に設置されている情報機器端末および当該患者が指定する情報機器端末の両方へ、電気通信回線を利用して当該患者を特定するための認証情報を前記医療機関等が送信する工程、および送信された認証情報によって、当該患者が指定場所から当該薬剤を受け取る工程、を含むことを特徴とする、患者への薬剤の受渡し方法を本発明として挙げることができる。【選択図】図１
2019053638.tif 000002
【特許請求の範囲】
【請求項１】
遠隔医療によって医師から処方された薬剤の患者への受渡し方法であって、
薬剤費を含む診療報酬を、当該医師ないしその所属医療機関（以下、併せて「医療機関等」という。）に対して当該患者が支払う工程、
支払い完了後、当該薬剤がストックされている場所の中から当該患者が指定する場所（指定場所）に設置されている情報機器端末および当該患者が指定する情報機器端末の両方へ、電気通信回線を利用して当該患者を特定するための認証情報を前記医療機関等が送信する工程、および
送信された認証情報によって、当該患者が指定場所から当該薬剤を受け取る工程、
を含むことを特徴とする、患者への薬剤の受渡し方法。
【請求項２】
前記場所が、自動販売機、コンビニエンスストアー、または郵便局である、請求項１に記載の薬剤の受渡し方法。
【請求項３】
前記薬剤が、勃起不全治療剤、鎮痛剤、偏頭痛治療剤、検査薬、診断薬、外用剤、または頓服薬である、請求項１または２に記載の薬剤の受渡し方法。
【発明の詳細な説明】
【技術分野】
【０００１】
本発明は、いわゆるビジネスモデルの技術分野に属する。本発明は、遠隔医療（Ｔｅｌｅｍｅｄｉｃｉｎｅ  ａｎｄ  Ｔｅｌｅｃａｒｅ）における患者への薬剤の受渡し方法に関するものである。
【背景技術】
【０００２】
近年、インターネット等の情報通信技術とその周辺機器の発達・普及に伴い、医師と患者との間にある地理的・時間的制約を超える医療がますます可能になってきている。情報通信技術等を用いて、このような離れた場所から医療行為を行うことを遠隔医療といい、かかる遠隔医療は、医療過疎などの問題解決の一翼を担っている。
この遠隔医療について、日本遠隔医療学会では「通信技術を活用して離れた２地点間で行われる医療活動全体を意味する」と定義されている（２０１１年版）。また、米国遠隔医療学会（ＡＴＡ：Ａｍｅｒｉｃａｎ  Ｔｅｌｅｍｅｄｉｃｉｎｅ  Ａｓｓｏｃｉａｔｉｏｎ）では「患者の健康状態を改善するために電気通信により伝送された医療情報を利用すること」と定義されている。
【０００３】
遠隔医療には、専門医師が他の医師の診療を支援するＤｏｃｔｏｒ  ｔｏ  Ｄｏｃｔｏｒ（ＤｔｏＤ）と、医師が遠隔地にいる患者を診療するＤｏｃｔｏｒ  ｔｏ  Ｐａｔｉｅｎｔ（ＤｔｏＰ）がある。ＤｔｏＤの例としては、遠隔放射線画像診断や遠隔術中迅速病理診断が挙げられる。ＤｔｏＰの例としては、在宅や介護施設などで療養する患者にテレビ電話やインターネット回線を介して診療するものが挙げられる。後者については、訪問看護や生体情報のモニタリングと組み合わせて行うこともある。
【０００４】
一方、遠隔医療（ＤｔｏＰ）によって医師から処方された薬剤は、現在、郵便や宅配などの運送手段により患者に直接届けられるか、またはその処方箋原本が患者に送達され、その処方箋原本を患者が調剤薬局に渡し、調剤薬局から患者が受け取ることにより入手される（非特許文献１）。
【先行技術文献】
【非特許文献】
【０００５】
【非特許文献１】「遠隔医療の法的整理  〜連載第３回  遠隔医療における医薬品の処方〜」、［online］、株式会社メドレー、オフィシャルブログ、［平成２９年９月１５日検索］、インターネット（http://info.medley.jp/entry/2016/11/15/174901）
【発明の概要】
【発明が解決しようとする課題】
【０００６】
上記の通り、遠隔医療（ＤｔｏＰ）によって医師から処方された医薬品は、現在、運送手段により患者に直接届けられるか、または処方箋原本が患者に送られ、それに基づき調剤薬局から患者が受け取ることにより入手される。そのため、実際に患者が当該薬剤を入手するのに、１日以上の時間を要している。したがって、遠隔医療による診断結果に基づき処方された薬剤を患者が直ぐに入手し服用することは実際上不可能である。
本発明は、上記のような、遠隔医療から薬剤入手までのタイムラグを少なくする、薬剤の新たな受渡し方法を提供することを主な課題とする。
【課題を解決するための手段】
【０００７】
本発明者らは、鋭意検討を重ねた結果、クラウド薬箱構想を着想し、それにより上記課題を解決しうることを見出し、本発明を完成するに到った。
【０００８】
本発明としては、例えば、下記を挙げることができる。
【０００９】
［１］遠隔医療によって医師から処方された薬剤の患者への受渡し方法であって、
薬剤費を含む診療報酬を、当該医師ないしその所属医療機関（以下、併せて「医療機関等」という。）に対して当該患者が支払う工程、
支払い完了後、当該薬剤がストックされている場所の中から当該患者が指定する場所（指定場所）に設置されている情報機器端末および当該患者が指定する情報機器端末の両方へ、電気通信回線を利用して当該患者を特定するための認証情報を前記医療機関等が送信する工程、および
送信された認証情報によって、当該患者が指定場所から当該薬剤を受け取る工程、
を含むことを特徴とする、患者への薬剤の受渡し方法。
［２］前記場所が、自動販売機、コンビニエンスストアー、または郵便局である、上記［１］に記載の薬剤の受渡し方法。
［３］前記薬剤が、勃起不全治療剤、鎮痛剤、偏頭痛治療剤、検査薬、診断薬、外用剤、または頓服薬である、上記［１］または［２］に記載の薬剤の受渡し方法。
【発明の効果】
【００１０】
本発明によれば、患者は遠隔医療によって医師から処方された薬剤を比較的短時間の中に入手することができる。
【図面の簡単な説明】
【００１１】
【図１】遠隔医療における薬剤の患者への受渡し方法について、従来の方法と本発明の方法とを表した概略図である。
【発明を実施するための形態】
【００１２】
本発明に係る、患者への薬剤の受渡し方法（以下、「本発明受渡し方法」という。）は、遠隔医療によって医師から処方された薬剤の患者への受渡し方法であって、薬剤費を含む診療報酬を、医療機関等に対して当該患者が支払う工程、支払い完了後、当該薬剤がストックされている場所の中から当該患者が指定する場所（指定場所）に設置されている情報機器端末および当該患者が指定する情報機器端末の両方へ、電気通信回線を利用して当該患者を特定するための認証情報を前記医療機関等が送信する工程、および送信された認証情報によって、当該患者が指定場所から当該薬剤を入手する工程、を含むことを特徴とする。
以下、本発明受渡し方法について詳述する。
【００１３】
本発明に係る「遠隔医療」は、医師が遠隔地にいる患者を診療するＤｔｏＰをいう。当該診療は、医師と患者とが地理的に離れた場所（遠隔地）において、インターネット等の電気通信回線やウェブカメラ等の周辺機器などを用いて行われる。遠隔医療による診断の結果、患者に適した薬剤が医師によって処方される。かかる処方は、基本的に院内処方の範疇に属する。当該医師には、歯科医師も含まれる。
【００１４】
本発明に係る「薬剤」は、医師から処方される薬剤であれば特に制限されないが、例えば、医療用医薬品、検査薬、診断薬を挙げることができる。また、外用剤や頓服薬なども挙げられる。具体的には、医療用医薬品としては、例えば、勃起不全治療剤（例、バイアグラ（登録商標）、シアリス（登録商標）、レビトラ（登録商標）、シアリス（登録商標））、鎮痛剤（例、ロキソニン（登録商標）、ボルタレン（登録商標））、偏頭痛治療剤（例、イミグラン（登録商標）、ゾーミッグ（登録商標）、レルパックス（登録商標）、マクサルト（登録商標））を挙げることができる。
ここで「電気通信回線」とは、電気的に映像、音声、文字などの情報を伝えることができる通信網をいい、具体的には、例えば、インターネット、（携帯）電話回線を挙げることができる。
【００１５】
１  薬剤費を含む診療報酬を、医療機関等に対して当該患者が支払う工程
当該工程においては、まず、医師が患者に対して遠隔医療を施すと、医療機関等は、当該患者に対して薬剤費を含む診療報酬を請求する。その請求額は、患者が遠隔にいることから、通常、電気通信回線を利用して医療機関等から当該患者に伝えられる。具体的な伝達方法としては、例えば、当該患者のスマートフォンやタブレット、携帯電話などのモバイル端末に請求額等の情報を通知する方法を挙げることができる。そして、その請求額を当該患者が適当な手段により支払う。
【００１６】
診療報酬の支払い方法としては、患者が遠隔にいることから、電子決済が好ましい。かかる電子決済の方法としては、電子データをやり取りすることで支払いができるものであれば特に制限されず、一般的な電子決済方法を挙げることができる。具体的には、例えば、各種クレジットカード決済、ＥｄｙやＢｉｔＣａｓｈなどの電子マネー、ＬＩＮＥ  Ｐａｙ、ＰａｙＰａｌ、Ａｐｐｌｅ  Ｐａｙ、ＳＰＩＫＥ、Ｗｅｂ  Ｐａｙ、Ｙａｈｏｏ！ウォレット  Ｆａｓｔ  Ｐａｙを挙げることができる。また、診療報酬の支払い方法は、デビットカードやビットコインなどの暗号通貨での支払い方法であってもよい。更には、ローソンのロッピーやファミリーマートのＦａｍｉポートなどコンビニの端末機器や銀行のＡＴＭを利用した支払い方法であってもよい。当該支払い方法は、薬剤の受渡し処理前に診療報酬を事前に支払われる手段であれば、特に制限されない。
【００１７】
２  支払い完了後、当該薬剤がストックされている場所の中から当該患者が指定する場所（指定場所）に設置されている情報機器端末および当該患者が指定する情報機器端末の両方へ、電気通信回線を利用して当該患者を特定するための認証情報を前記医療機関等が送信する工程
前記工程で電子決済が完了すると、処方された薬剤が当該患者に受け渡されるが、従来は、例えば、郵便や宅配などの輸送方法（運送手段）により当該薬剤が当該患者に受け渡されていた。本発明受渡し方法では、当該薬剤がストックされている指定場所に当該患者が出向き、そこで当該薬剤を当該患者が入手し、受け渡しが完了する。
【００１８】
そのため、本工程により、医療機関等は、指定場所に設置されている情報機器端末および当該患者が指定する情報機器端末の両方へ、電気通信回線を利用して当該患者を特定するための認証情報を送信する。
指定場所は、１カ所でも２か所以上の複数箇所でもよい。必要に応じて適宜選択される。
【００１９】
薬剤がストックされている場所としては、例えば、自動販売機、コンビニエンスストアー、郵便局を挙げることができる。この中、自動販売機が当該場所として好ましい。かかる自動販売機は、薬剤専用のものである必要はなく、飲料水やお茶などのペットボトルや缶飲料などが販売されている自動販売機、たばこの自動販売機、酒類の自動販売機など、従来の自動販売機を活用することができる。即ち、他の製品の自動販売機に間借りする形で、薬剤を併存させることができる。従来の自動販売機であれば、通常、身近でどこにでもあるから、患者が処方薬剤を入手することが容易となる。
なお、薬剤の品質管理の観点から、温度調節機能のある場所ないし自動販売機等が好ましい。
【００２０】
薬剤は、通常、医薬品卸や医薬品メーカー、自動販売機の製品の供給メーカー、医師、薬剤師などによって、上記場所に適宜補充され、管理される。当該場所に従業員等がいる場合には、必要に応じて、当該従業員等も薬剤の補充・管理に関わることができる。上記場所にストックされる薬剤の種類については、通常、医療機関等や医薬品卸、医薬品メーカーなどによって適宜決定される。
【００２１】
薬剤がストックされている場所には、電気通信回線を利用して医療機関等から送られてくる患者の認証情報を受け取り、また当該患者が特定される認証情報を当該患者から受け取るための情報機器端末が設置されている。当該情報機器端末の自動販売機への設置は、防犯上、内蔵が好ましい。
【００２２】
患者が指定する情報機器端末としては、例えば、スマートフォン、タブレット、携帯電話などのモバイル端末、パーソナルコンピューター（ＰＣ）を挙げることができる。患者が受信した認証情報は、必要に応じて、ＵＳＢ、ＳＤカード、マイクロＳＤカードなどの記録媒体にエクスポートすることもできる。
認証情報は、セキュリティーが施されていることが好ましい。
【００２３】
３  送信された認証情報によって、当該患者が指定場所から当該薬剤を受け取る工程
本工程は、送信された認証情報によって、当該患者が指定場所から当該薬剤を受け取る工程である。
医療機関等から認証情報が送られてくると、当該患者は、いずれかの指定場所に出向き、認証情報を受信した情報機器端末またはそこからエクスポートした認証情報が格納された記録媒体により、当該指定場所から処方された薬剤を入手することができる。これにより、医療機関等から患者への処方された薬剤の受渡しが完了する。
【００２４】
指定場所が自動販売機の場合、当該患者は、認証情報が格納された当該患者の情報機器端末または記憶媒体を用いて、当該患者の認証情報を当該自動販売機の情報機器端末に認識させ、自動販売機は、その認識した認証情報と医療機関等から送られてきた認証情報とから当該患者本人であると判断し、処方された薬剤を排出する。これにより、当該患者は、処方された薬剤を受け取ることができ、医療機関等から当該患者への処方された薬剤の受渡しが完了する。
【００２５】
当該薬剤の受渡しが完了すると、当該認証情報は、当該指定場所の情報機器端末から消去されうる。また、当該薬剤の受渡しが完了すると、当該指定場所の情報機器端末から受渡し完了の情報が、電気通信回線を利用して医療機関等や他の指定場所の情報機器端末に通知されるようにすることもできる。その場合、受渡し完了情報を受信した他の指定場所は、通常、当該認証情報を消去する。また、受渡し完了情報を受信した医療機関等から他の指定場所の情報機器端末に、当該認証情報を消去するための情報を通知することもできる。これにより、処方された薬剤を当該患者が二重に受け取ることを防ぐことができる。
【００２６】
図１は、遠隔医療によって処方された薬剤の患者への受渡し方法について、従来の方法と本発明の方法（本発明受渡し方法）を表した概略図である。図１において、上部には、医療機関と患者との間で遠隔医療が行われたことが示されている。下部には、当該患者に処方された薬剤が遠隔にいる当該患者に受け渡される方法として、従来は運送手段によっていたことをトラックのモチーフ図を用いて示されている。また、中央部には、当該患者に処方された薬剤が遠隔にいる当該患者に受け渡される方法として、当該患者が指定場所の自動販売機に出向き、当該薬剤が受け渡される本発明受渡し方法の概略が示されている。
【産業上の利用可能性】
【００２７】
本発明受渡し方法では、医師によって処方された薬剤を患者が比較的短時間に簡便に受け取ることができることから、患者にとって利便性が高く、薬剤の流通システムにとって有用である。
【図１】
2019053638.tif 000003
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
遠隔医療によって医師から処方された薬剤の患者への受渡し方法であって、
当該医師ないしその所属医療機関（以下、併せて「医療機関等」という。）の情報機器端末と当該患者が指定する情報機器端末との間が、および当該医療機関等の情報機器端末と当該薬剤がストックされている自動販売機に設置されている情報機器端末との間が、それぞれ電気通信回線により接続されており、
当該医療機関等の情報機器端末は、当該薬剤がストックされている自動販売機の中から当該患者が指定する自動販売機（指定自動販売機）に設置されている情報機器端末および当該患者が指定する情報機器端末の両方へ、電気通信回線を利用して当該患者を特定するための認証情報を送信する工程、
当該患者を特定するための認証情報を当該医療機関等の情報機器端末から受信した指定自動販売機の情報機器端末は、当該患者が指定する情報機器端末に当該医療機関等の情報機器端末から電気通信回線を利用して別途送信された当該患者の認証情報を当該患者の情報機器端末から受け取り、両者の認証情報から当該患者本人であると判断する工程、
両者の認証情報から当該患者本人であると判断した当該指定自動販売機は、当該薬剤を当該患者が受け取ることができるよう排出する工程、
当該薬剤を排出した当該指定自動販売機の情報機器端末は、当該受け渡し完了情報を、電気通信回線を利用して当該医療機関等の情報機器端末に送信する工程、
当該受け渡し完了情報を当該指定自動販売機の情報機器端末から受信した当該医療機関等の情報機器端末は、他の指定自動販売機の情報機器端末に電気通信回線を利用して当該認証情報を消去するための情報を送信する工程、ならびに
当該認証情報を消去するための情報を当該医療機関等の情報機器端末から受信した他の指定自動販売機の情報機器端末は、当該医療機関等の情報機器端末から電気通信回線を利用して送信されていた当該認証情報を消去する工程
を含むことを特徴とする、患者への薬剤の受渡し方法。
【請求項２】
遠隔医療によって医師から処方された薬剤の患者への受渡し方法であって、
当該医師ないしその所属医療機関（以下、併せて「医療機関等」という。）の情報機器端末と当該患者が指定する情報機器端末との間が、当該医療機関等の情報機器端末と当該薬剤がストックされている自動販売機に設置されている情報機器端末との間が、および当該薬剤がストックされている自動販売機に設置されている情報機器端末同士が、それぞれ電気通信回線により接続されており、
当該医療機関等の情報機器端末は、当該薬剤がストックされている自動販売機の中から当該患者が指定する自動販売機（指定自動販売機）に設置されている情報機器端末および当該患者が指定する情報機器端末の両方へ、電気通信回線を利用して当該患者を特定するための認証情報を送信する工程、
当該患者を特定するための認証情報を当該医療機関等の情報機器端末から受信した指定自動販売機の情報機器端末は、当該患者が指定する情報機器端末に当該医療機関等の情報機器端末から電気通信回線を利用して別途送信された当該患者の認証情報を当該患者の情報機器端末から受け取り、両者の認証情報から当該患者本人であると判断する工程、
両者の認証情報から当該患者本人であると判断した当該指定自動販売機は、当該薬剤を当該患者が受け取ることができるよう排出する工程、
当該薬剤を排出した当該指定自動販売機の情報機器端末は、当該受け渡し完了情報を、電気通信回線を利用して当該医療機関等の情報機器端末および他の指定自動販売機の情報機器端末に送信する工程、ならびに
当該受け渡し完了情報を当該指定自動販売機の情報機器端末から受信した他の指定自動販売機の情報機器端末は、当該医療機関等の情報機器端末から電気通信回線を利用して送信されていた当該認証情報を消去する工程
を含むことを特徴とする、患者への薬剤の受渡し方法。
【請求項３】
前記薬剤が、勃起不全治療剤、鎮痛剤、偏頭痛治療剤、検査薬、診断薬、外用剤、または頓服薬である、請求項１または２に記載の薬剤の受渡し方法。